(57)【要約】      （修正有）【課題】実装ケース入り電気光学装置において、電気光学装置や実装ケースの温度変化に起因する応力の発生を抑制し、加えて画面ズレや色むらの発生を防止して、高品質な画像表示を行う。【解決手段】画像表示領域を有し、表示光を該画像表示領域から出射する電気光学装置を収納する実装構造体であって、画像表示領域に対応する窓６２５を規定するフレーム６２０と、フレームの一箇所に配置され、当該実装構造体を被実装体に取り付けるための実装フレームと、電気光学装置がフレーム内に収容された状態で、電気光学装置における周辺部のうち実装フレームに面する側に位置する一部をフレームに固定させる固定部６２１とを備えている。【選択図】図６
2005241766.tif 000002
【特許請求の範囲】
【請求項１】
画像表示領域を有し、表示光を該画像表示領域から出射する電気光学装置を収納する実装構造体であって、
前記画像表示領域に対応する窓を規定するフレームと、
前記フレームの一箇所に配置され、当該実装構造体を被実装体に取り付けるための実装部と、
前記電気光学装置が前記フレーム内に収容された状態で、前記電気光学装置における周辺部のうち前記実装部に面する側に位置する一部を前記フレームに固定させる固定部と
を備えていることを特徴とする実装構造体。
【請求項２】
画像表示領域を有し、表示光を該画像表示領域から出射する電気光学装置を収納する実装構造体であって、
前記画像表示領域に対応する窓を規定するフレームと、
前記フレームの複数箇所に配置され、当該実装構造体を被実装体に取り付けるための実装部と、
前記電気光学装置が前記フレーム内に収容された状態で、前記電気光学装置における周辺部のうち、前記複数箇所のうちのいずれか一つに配置された実装部に面する側に位置する一部を前記フレームに固定させる固定部と
を備えていることを特徴とする実装構造体。
【請求項３】
前記実装部は、前記被実装体において当該実装構造体の位置決めを行うための位置決め機構を兼ねること
を特徴とする請求項１又は２に記載の実装構造体。
【請求項４】
前記実装部は、実装用の穴部として設けられていることを特徴とする請求項１から３のいずれか一項に記載の実装構造体。
【請求項５】
前記フレームの周辺部に配置され、前記被実装体において当該実装構造体の位置決めを行うための位置決め機構を更に備えること
を特徴とする請求項１又は２に記載の実装構造体。
【請求項６】
前記位置決め機構は、前記被実装体に設けられ、前記位置決めに用いられる位置決め用ピンに対応する位置決め用の穴部として設けられていることを特徴とする請求項５に記載の実装構造体。
【請求項７】
前記フレーム若しくは前記フレーム及び前記実装部によって、前記フレームの周辺部において、前記電気光学装置に接続される二股フレキシブル基板の二股に分かれた端部が夫々はめ込まれる空間が規定されていること
を特徴とする請求項１から６のいずれか一項に記載の実装構造体。
【請求項８】
前記固定部は、前記一部と、前記フレームの内壁における前記一部に面する部分との間の隙間を充填するように設けられること
を特徴とする請求項１から７のいずれか一項に記載の実装構造体。
【請求項９】
前記フレームに前記電気光学装置が収容された状態で、前記電気光学装置と前記フレームの内壁との間の隙間を充填する充填材を更に備えること
を特徴とする請求項１から８のいずれか一項に記載の実装構造体。
【請求項１０】
前記電気光学装置を、前記フレーム内に収容されている状態で前記フレームに対して装着させるフックを更に備えたことを特徴とする請求項１から９のいずれか一項に記載の実装構造体。
【請求項１１】
請求項１から１０のいずれか一項に記載の実装構造体に収納され、表示光を出射する画像表示領域を有したことを特徴とする電気光学装置。
【請求項１２】
当該電気光学装置の表示光の出射面を少なくとも部分的に覆う防塵用の透明基板を更に備えること
を特徴とする請求項１１に記載の電気光学装置。
【請求項１３】
請求項１から１０のいずれか一項に記載の実装構造体と、
該実装構造体に収納され、表示光を出射する画像表示領域を有する電気光学装置と
を具備したことを特徴とする電子機器。
【発明の詳細な説明】
【技術分野】
【０００１】
本発明は、例えば液晶プロジェクタのライトバルブとして用いられる液晶パネル等の電気光学装置を実装するための実装構造体、また該実装構造体に実装或いは収容されてなる電気光学装置、及びこのような電気光学装置を備えてなる液晶プロジェクタ等の電子機器の技術分野に関する。
【背景技術】
【０００２】
この種の実装構造体は、特許文献１に開示されているように、電気光学装置を覆うように配置されるフレームを備えている。フレーム内に電気光学装置は、該フレームの内側壁と電気光学装置との隙間全体に充填された接着剤によって接着固定される。また、フレームには複数の取り付け穴が設けられている。そして、実装構造体に電気光学装置が収納されている状態で、取り付け穴を用いて、該実装構造体を例えば投射型表示装置等の被実装体内に複数点で固定して取り付ける。
【０００３】
ここで、電気光学装置の駆動時、該電気光学装置から発生された熱はフレームを介して放熱される。フレームにおける放熱機能を向上させるため、該フレームは例えば金属や樹脂等の比較的熱伝導性に優れた材料を用いて構成されている。
【０００４】
【特許文献１】特開２００２−３６６０４６号公報
【発明の開示】
【発明が解決しようとする課題】
【０００５】
しかしながら、上述したような実装構造体によれば、実装構造体に収納された電気光学装置を構成する基板や、特に実装構造体が有するフレームは、当該電気光学装置の動作時における、例えば強力な投射光の照射による加熱や自発光動作に伴う発熱に起因した温度変化によって伸縮する。その結果、フレームに設けられた複数の取り付け穴の夫々と、電気光学装置との相対的な位置ズレが生じることとなり、画面ズレが発生する。
【０００６】
また、特にフレームにおける温度が低下すると、該フレームと電気光学装置とは線膨張係数が異なるため、電気光学装置が縮む度合いより、通常はフレームが縮む度合いのほうが大きい。よって、電気光学装置はフレームによって圧迫され、このように付与された応力により、該電気光学装置において光学異方性が発生する。これにより色むらが生じて、電気光学装置における画像表示の品質が低下するという問題点を生じる。
【０００７】
更には、フレームと、被実装体内の実装構造体の取り付け個所を構成する部材との線膨張係数が異なるため、フレーム又は被実装体の前記部材における温度変化に起因する伸縮により、フレームと被実装体の前記部材との間に応力が発生することもある。
【０００８】
本発明は上述の問題点に鑑みなされたものであり、電気光学装置や実装構造体における温度変化に起因する応力の発生を抑制し、加えて画面ズレや色むらの発生を防止して、高品質な画像表示を行うことが可能な電気光学装置を実装するための実装構造体、また該実装構造体に実装或いは収容されてなる電気光学装置、及びこのような電気光学装置を備えてなる液晶プロジェクタ等の電子機器を提供することを課題とする。
【課題を解決するための手段】
【０００９】
本発明の第１の実装構造体は上記課題を解決するために、画像表示領域を有し、表示光を該画像表示領域から出射する電気光学装置を収納する実装構造体であって、前記画像表示領域に対応する窓を規定するフレームと、前記フレームの一箇所に配置され、当該実装構造体を被実装体に取り付けるための実装部と、前記電気光学装置が前記フレーム内に収容された状態で、前記電気光学装置における周辺部のうち前記実装部に面する側に位置する一部を前記フレームに固定させる固定部とを備えている。
【００１０】
本発明の第１の実装構造体によれば、例えば画像表示領域に光源から入射される光に応じて表示光を、透過又は反射によって出射する電気光学装置が実装される。或いは、画像表示領域から、例えば自発光によって表示光を出射する電気光学装置が実装される。このような電気光学装置としては、例えば投射型表示装置におけるライトバルブとして実装される液晶装置或いは液晶パネルが挙げられる。或いは、自発光型の有機ＥＬパネルが挙げられる。
【００１１】
当該第１の実装構造体において、電気光学装置は、例えばその周辺部側からフレームによって包囲された状態で該フレーム内に収容される。尚、このように当該第１の実装構造体内に収納された状態で、電気光学装置における、画像表示領域の周辺に位置する周辺領域は、少なくともフレームによって部分的に覆われるようにするのが好ましい。このようにすれば、フレームに、当該周辺領域における光抜けを少なくとも部分的に防止したり或いは周辺領域から画像表示領域内に迷光が少なくとも部分的に進入するのを防止する遮光機能を持たせることが可能となる。また、このような遮光機能や後述するようなヒートシンクとしての機能をフレームにおいて確保するために、該フレームを構成するフレーム部材は、遮光性で且つ熱伝導性に優れた、例えば樹脂や金属等の材料を用いて構成されるのが好ましい。より具体的には、このような材料として、アルミニウム、マグネシウム、銅又はこれら夫々の合金等を用いるようにするとよい。
【００１２】
実装部は、例えばフレームの周辺部に開口された取り付け穴を規定する、該フレームの壁部分に相当する実装用の穴部として設けられる。そして、実装部を用いて、フレーム内に電気光学装置が収容されている状態で当該第１の実装構造体を、被実装体である例えば液晶プロジェクタ等の投射型表示装置内に取り付けることによって実装する。
【００１３】
この際、被実装体との位置決めは実装部を用いて行われる。従って、該実装部は位置決め機構としても機能し得ることとなる。即ち、実装部によって被実装体における当該第１の実装構造体の光学的な基準位置が決定される。また、実装部によってフレームにおいて、該実装部が設けられた箇所が、被実装体に固定される。これにより、フレームを被実装体に一点固定することが可能となる。
【００１４】
フレーム内に収容された状態で、電気光学装置の周辺部はフレームの内壁に隙間を開けて面する状態となる。そして、電気光学装置の周辺部において、フレームの実装部が設けられた個所に面する側に位置する一部が、該一部とフレームの内壁との間に充填された、例えば感光性硬化樹脂や熱硬化樹脂を材料とする接着剤等の固定部によってフレームに固定される。これにより、電気光学装置をフレームにおいて実装部の近傍にいわば一定固定することが可能となる。
【００１５】
当該第１の実装構造体に電気光学装置が実装された状態で、電気光学装置の動作時において、該電気光学装置に比較的強力な投射光が入射されると、該電気光学装置の温度が上昇する。或いは、例えば、自発光動作に伴って、該電気光学装置の温度が上昇する。電気光学装置から生じる熱は、フレームにおいて電気光学装置がフレームに接触している個所から、該フレームに伝導される。このようにフレームに伝導された熱は、該フレームから当該第１の実装構造体外に放出される。フレームは上述したように被実装体に固定されることで、被実装体における当該第１の実装構造体の取り付け個所に少なくとも接触している。よって、該接触個所から、当該第１の実装構造体から放出された熱が非実装体における前記取り付け個所に伝導される。
【００１６】
この際特に、例えば投射光による加熱や自発光動作に伴う発熱によって電気光学装置、例えばその基板等は、膨張する。これと相前後して又は殆ど同時に、電気光学装置から伝導された熱によってフレームにおける温度が上昇し、フレーム部材は膨張する。例えば、フレーム部材は、電気光学装置の基板等よりも大きな膨張率で膨張する。更に、フレーム部材の膨張と相前後して又は殆ど同時に、フレームから伝導された熱によって被実装体における前記取り付け個所付近はフレーム部材と異なる膨張率で膨張する。
【００１７】
フレームは被実装体に一点固定されており、上述した膨張により該固定個所を支点として、フレームと被実装体とは位置ズレする。これにより、被実装体における前記取り付け個所とフレームとの間の応力の発生を緩和できる。
【００１８】
また、電気光学装置は、フレームに実装部の近傍で一点固定されており、フレーム部材は実装部による取り付け位置を支点として膨張する。従って、光学的な位置決めの基準となる実装部による取り付け位置と電気光学装置との相対的な位置ズレ、即ち、光学的な基準位置に対する画像表示領域の位置ズレの発生を防止することが可能となる。よって、当該加熱時や発熱時における、電気光学装置の位置ズレを防止することが可能となる。
【００１９】
更に、フレームと電気光学装置とが異なる膨張率で膨張しても、電気光学装置における、フレームに対する固定部分以外の他の部分は、フレームに対して相互に近付いたり相互から離間する。よって、膨張や伸縮に基づくフレームと電気光学装置との間の応力の発生を緩和できる。即ち、膨張や伸縮で電気光学装置に応力が発生して、例えば画像表示領域が歪むのを効率的に防止できる。
【００２０】
他方、電気光学装置が実装された状態で、電気光学装置や第１の実装構造体並びに被実装体における前記取り付け個所が冷却されることにより、夫々温度が低下すると、一般に電気光学装置や第１の実装構造体並びに被実装体における前記取り付け個所は夫々縮む。この場合においても、フレームは被実装体に一点固定されると共に、電気光学装置は、フレームに実装部の近傍で一点固定されているため、温度が上昇した場合と同様の利益を享受することができる。
【００２１】
以上の結果、当該電気光学装置の加熱時や発熱時における、更には冷却時における、当該第１の実装構造体又は電気光学装置における応力の発生や、電気光学装置の位置ズレの発生を防止することが可能となる。その結果、電気光学装置において、色むらの発生を防止して高品質な画像表示を行うことが可能となる。
【００２２】
本発明の第２の実装構造体は上記課題を解決するために、画像表示領域を有し、表示光を該画像表示領域から出射する電気光学装置を収納する実装構造体であって、前記画像表示領域に対応する窓を規定するフレームと、前記フレームの複数箇所に配置され、当該実装構造体を被実装体に取り付けるための実装部と、前記電気光学装置が前記フレーム内に収容された状態で、前記電気光学装置における周辺部のうち、前記複数箇所のうちのいずれか一つに配置された実装部に面する側に位置する一部を前記フレームに固定させる固定部とを備えている。
【００２３】
本発明の第２の実装構造体によれば、実装部は例えば実装用の穴部としてフレームの複数箇所に配置される。当該第２の実装構造体を被実装体内に取り付ける際には、複数の実装部によって被実装体における当該第２の実装構造体の光学的な基準位置が決定される。そして、複数の実装部によってフレームにおける複数箇所が、被実装体に固定される。これにより、フレームを被実装体に複数点で固定することが可能となる。
【００２４】
また、フレーム内に収容された状態で、電気光学装置の周辺部において、フレームの実装部が設けられた個所のうちいずれか一箇所に面する側に位置する一部が、固定部によってフレームに固定される。
【００２５】
当該第２の実装構造体に電気光学装置が実装された状態で、電気光学装置の動作時において、例えば投射光による加熱や自発光動作に伴う発熱によって電気光学装置、例えばその基板等は、膨張する。これと相前後して又は殆ど同時に、電気光学装置から伝導された熱によってフレームにおける温度が上昇し、フレーム部材は膨張する。例えば、フレーム部材は、電気光学装置の基板等よりも大きな膨張率で膨張する。
【００２６】
電気光学装置は、フレームに実装部の近傍で一点固定されており、フレーム部材は実装部による取り付け位置を支点として膨張する。従って、光学的な位置決めの基準となる実装部による取り付け位置と電気光学装置との相対的な位置ズレ、即ち、光学的な基準位置に対する画像表示領域の位置ズレの発生を防止することが可能となる。よって、当該加熱時や発熱時における、電気光学装置の位置ズレを防止することが可能となる。
【００２７】
更に、フレームと電気光学装置とが異なる膨張率で膨張しても、電気光学装置における、フレームに対する固定部分以外の他の部分は、フレームに対して相互に近付いたり相互から離間する。よって、膨張や伸縮に基づくフレームと電気光学装置との間の応力の発生を緩和できる。即ち、膨張や伸縮で電気光学装置に応力が発生して、例えば画像表示領域が歪むのを効率的に防止できる。
【００２８】
他方、電気光学装置が実装された状態で、電気光学装置や第２の実装構造体が冷却されることにより、夫々温度が低下すると、一般に電気光学装置や第２の実装構造体は夫々縮む。この場合においても、電気光学装置は、フレームに実装部の近傍で一点固定されているため、温度が上昇した場合と同様の利益を享受することができる。
【００２９】
以上の結果、当該電気光学装置の加熱時や発熱時における、更には冷却時における、電気光学装置における応力の発生や、電気光学装置の位置ズレの発生を防止することが可能となる。その結果、電気光学装置において、色むらの発生を防止して高品質な画像表示を行うことが可能となる。
【００３０】
本発明の第１又は第２の実装構造体の一態様では、前記実装部は、前記被実装体において当該実装構造体の位置決めを行うための位置決め機構を兼ねる。
【００３１】
この態様によれば、フレーム内に電気光学装置が収容されている状態で第１又は第２の実装構造体を被実装体に取り付ける際、実装部を用いて位置決めを行うことによって、被実装体における第１又は第２の実装構造体の光学的な基準位置を決定することができる。
【００３２】
本発明の第１又は第２の実装構造体の他の態様では、前記実装部は、実装用の穴部として設けられている。
【００３３】
この態様によれば、実装用の穴部を中心としてフレーム部材が伸縮する。よって、光学的な基準位置となる取り付け位置に対する、画面の位置ズレの発生を防止することが可能となる。
【００３４】
本発明の第１又は第２の実装構造体の他の態様では、前記フレームの周辺部に配置され、前記被実装体において当該実装構造体の位置決めを行うための位置決め機構を更に備える。
【００３５】
この態様では、位置決め機構は、フレーム又は被実装体における前記取り付け個所が伸縮しても、該取り付け個所とフレームとの間に応力が発生しないように、該フレームを被実装体に取り付けて固定する実装部とは別に、第１又は第２の実装構造体の位置決めのためにフレームの周辺部に設置される。より具体的には、例えば実装部を取り付け穴を規定する実装用の穴部としてフレームに設け、取り付け穴にねじをねじこんで第１又は第２の実装構造体を被実装体に取り付ける場合、第１又は第２の実装構造体の回転による位置ズレを防止する防止機構として、位置決め機構は設けられる。よって、この態様によれば、位置決め機構を用いることによって、被実装体における第１又は第２の実装構造体の光学的な基準位置を決定することができる。更には、このような位置決めを比較的容易に行うことで、第１又は第２の実装構造体の組み立て性を向上させることが可能となる。
【００３６】
この、位置決め手段が位置決め用の穴部として設けられている態様では、前記位置決め機構は、前記被実装体に設けられ、前記位置決めに用いられる位置決め用ピンに対応する位置決め用の穴部として設けられているように構成してもよい。
【００３７】
このように構成すれば、被実装体における当該実装ケースの位置決めを比較的容易に行うことができる。位置決め用の穴部は、フレームの周辺部に開口された位置決め用の穴を規定する該フレームの壁部分に相当する。そして、位置決め用ピンを位置決め用の穴部にはめ込んで、当該実装ケースを被実装体に取り付ける。ここで、位置決め用の穴部は、該位置決め用の穴部と位置決め用ピンとが相互に比較的自由にズレることが可能なサイズとするのが好ましい。このようにすれば、フレーム又は被実装体における前記取り付け個所が伸縮しても、該取り付け個所とフレームとの間に応力が発生するのを防止することが可能となる。
【００３８】
本発明の第１又は第２の実装構造体の他の態様では、前記フレーム若しくは前記フレーム及び前記実装部によって、前記フレームの周辺部において、前記電気光学装置に接続される二股フレキシブル基板の二股に分かれた端部が夫々はめ込まれる空間が規定されている。
【００３９】
この態様によれば、フレームの側面に開口部を設け、該開口部によって規定される空間を部分的に塞ぐように実装部として例えば実装用の穴部を配置する。これにより、フレームの開口部によって規定される空間は二分割され、これら二つの空間は夫々実装部を挟んでその両側に配置されることとなる。或いは、フレームの一側面に設けられた二つの開口部によって二つの空間が規定される。
【００４０】
そして、前述の二つの空間には、二股フレキシブル基板の二股に分かれた端部をはめ込むことが可能となる。従って、この態様によれば、フレーム内に収容された電気光学装置に、二股フレキシブル基板を折り曲げることなく接続させることが可能となる。その結果、電気光学装置に該電気光学装置を駆動するための駆動回路を、ＴＡＢ（Tape Automated bonding）実装させることが可能となる。尚、位置決め機構を実装部と別に設ける場合には、実装部の代わりに位置決め機構を、フレームの開口部に実装部と同様に設けるようにしてもよい。
【００４１】
本発明の第１又は第２の実装構造体の他の態様では、前記固定部は、前記一部と、前記フレームの内壁における前記一部に面する部分との間の隙間を充填するように設けられる。
【００４２】
この態様によれば、例えば固定部として接着剤を用いる場合、次のように、接着剤溜まりを形成することで、フレームに電気光学装置をより強固に一点で固定することが可能となる。即ち、少なくとも前記一部における、例えば電気光学装置の基板の一部分又は該電気光学装置の表示光の出射面を覆う防塵用基板の一部分を、フレームの内壁に対して該フレームの内側に向かって後退させる。これにより形成されたフレームと電気光学装置との間の隙間を接着剤溜まりとして、該隙間に接着剤を充填する。
【００４３】
本発明の第１又は第２の実装構造体の他の態様では、前記フレームに前記電気光学装置が収容された状態で、前記電気光学装置と前記フレームの内壁との間の隙間を充填する充填材を更に備える。
【００４４】
この態様によれば、充填材として、空気よりも熱伝導性に優れ、且つ弾力性を有する材料を用いるのが好ましい。よって、この態様では、電気光学装置が第１又は第２の実装構造体に実装された状態で、電気光学装置から発生する熱を、充填材との接触部分から充填材を介して、フレームに効率良く伝導させることができ、第１又は第２の実装構造体における放熱効率を向上させることが可能となる。また、固定手段を補助するように充填材として接着剤を用いる場合も、該接着剤が弾力性を有することで、伸縮に基づくフレームと電気光学装置との間の応力の発生を緩和できる。
【００４５】
本発明の第１又は第２の実装構造体の他の態様では、前記電気光学装置を、前記フレーム内に収容されている状態で前記フレームに対して装着させるフックを更に備える。
【００４６】
この態様によれば、フックを、該フックによっても電気光学装置の周辺領域を少なくとも部分的に覆うように配置すれば、第１又は第２の実装構造体における上述したような遮光機能を向上させることが可能となる。
【００４７】
また、電気光学装置から発生した熱をフックに伝導させると共に、該フックとフレームとで熱を相互に伝導させることが可能なように、フックを配置することにより、第１又は第２の実装構造体における放熱効率を向上させることが可能となる。
【００４８】
本発明の電気光学装置は上記課題を解決するために、上述した本発明の第１又は第２の実装構造体（但し、その各種態様を含む）に収納され、表示光を出射する画像表示領域を有する。
【００４９】
本発明の電気光学装置によれば、本発明の第１又は第２の実装構造体を備えるので、当該電気光学装置の加熱時や発熱時における、更には冷却時における、第１又は第２の実装構造体又は電気光学装置における応力の発生や、電気光学装置の位置ズレや歪みの発生を防止することが可能となる。その結果、電気光学装置において、色むらの発生を防止して高品質な画像表示を行うことが可能となる。
【００５０】
本発明の電気光学装置の一態様では、当該電気光学装置の表示光の出射面を少なくとも部分的に覆う防塵用の透明基板を更に備える。
【００５１】
この態様によれば、例えば投射型表示装置内に第１又は第２の実装構造体に実装或いは収納された電気光学装置が取り付けられる場合、防塵用の透明基板のデフォーカス作用により、電気光学装置における、防塵用基板と貼り合わせられる接着面である表示光の出射面に付着した埃や塵は、スクリーン上の表示画面にピンボケの状態で表示されることとなる。よって、スクリーン上の表示画面に、前述したような埃や塵が明確に映りこむのを防止することができる。尚、既に説明したように、防塵用の透明基板の一部をフレームの内壁に対して、該フレームの内側に後退させることで、接着剤溜まりを形成することが可能となる。
【００５２】
本発明の電子機器は上記課題を解決するために、上述した本発明の第１又は第２の実装構造体（但し、その各種態様を含む）と、該実装構造体に収納され、表示光を出射する画像表示領域を有する電気光学装置とを具備する。
【００５３】
本発明の電子機器は、上述した本発明の第１又は第２の実装構造体に収納された電気光学装置を具備してなるので、高品質の画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Degital  Light  Processing）等を実現することも可能である。
【００５４】
本発明のこのような作用及び他の利得は次に説明する実施の形態から明らかにされる。
【発明を実施するための最良の形態】
【００５５】
以下、本発明の実施の形態を図面に基づいて説明する。
＜１：投射型表示装置＞
【００５６】
まず、図１を参照して、本発明による電子機器の一例として投射型液晶装置の実施形態について、その光学ユニットに組み込まれている光学系を中心に説明する。
【００５７】
ここに、図１は、投射型液晶表示装置の図式的断面図である。本実施形態の投射型表示装置は、実装ケース入りの電気光学装置の一例たる液晶ライトバルブが３枚用いられてなる複板式カラープロジェクタとして構築されている。
【００５８】
図１において、本実施形態における複板式カラープロジェクタの一例たる、液晶プロジェクタ１１００は、駆動回路がＴＦＴアレイ基板上に搭載された電気光学装置を含む液晶ライトバルブを３個用意し、夫々ＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応するライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂにより夫々変調された３原色に対応する光成分は、ダイクロイックプリズム１１１２により再度合成された後、投射レンズ１１１４を介してスクリーンにカラー画像として投射される。
【００５９】
本実施形態のライトバルブ１００Ｒ、１００Ｇ及び１００Ｂとしては、例えば、後述の如きＴＦＴをスイッチング素子として用いたアクティブマトリクス駆動方式の液晶装置が使用される。また、当該ライトバルブ１００Ｒ、１００Ｇ及び１００Ｂは、後に詳述するように実装ケース入り電気光学装置として構成されている。
【００６０】
＜２：電気光学装置＞
次に本発明の電気光学装置に係る実施形態の全体構成について、図２及び図３を参照して説明する。ここでは、電気光学装置の一例である駆動回路内蔵型のＴＦＴアクティブマトリクス駆動方式の液晶装置を例にとる。本実施形態に係る電気光学装置は、上述した液晶プロジェクタ１１００における液晶ライトバルブ１００Ｒ、１００Ｇ、１００Ｂとして使用されるものである。
【００６１】
ここに、図２は、ＴＦＴアレイ基板をその上に形成された各構成要素と共に対向基板の側から見た電気光学装置の平面図であり、図３は、図２のＨ−Ｈ’断面図である。
【００６２】
図２及び図３において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００６３】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００６４】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００６５】
画像表示領域１０ａの周辺に広がる周辺領域（本発明に係る「周辺部」に該当する）のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺に沿い、且つ、前記額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、前記額縁遮光膜５３に覆われるようにして複数の配線１０５が設けられている。
【００６６】
また、対向基板２０の４つのコーナー部には、両基板間の上下導通端子として機能する上下導通材１０６が配置されている。他方、ＴＦＴアレイ基板１０にはこれらのコーナーに対向する領域において上下導通端子が設けられている。これらにより、ＴＦＴアレイ基板１０と対向基板２０との間で電気的な導通をとることができる。
【００６７】
図３において、ＴＦＴアレイ基板１０上には、画素スイッチング用のＴＦＴや走査線、データ線等の配線が形成された後の画素電極９ａ上に、図示しない配向膜が形成されている。他方、対向基板２０上には、対向電極２１の他、格子状又はストライプ状の遮光膜２３、更には最上層部分に図示しない配向膜が形成されている。また、液晶層５０は、例えば一種又は数種類のネマティック液晶を混合した液晶からなり、これら一対の配向膜間で、所定の配向状態をとる。
【００６８】
尚、図２及び図３に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００６９】
次に、以上の如く構成された電気光学装置における回路構成及び動作について、図４を参照して説明する。
【００７０】
図４には、電気光学装置の画像表示領域を構成するマトリクス状に形成された複数の画素における各種素子、配線等の等価回路を示してある。図４において、本実施形態における電気光学装置の画像表示領域１０ａを構成するマトリクス状に形成された複数の画素には、それぞれ、画素電極９ａと当該画素電極９ａをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしてもよい。
【００７１】
また、ＴＦＴ３０のゲートにゲート電極３ａが電気的に接続されており、所定のタイミングで、走査線１１ａ及びゲート電極３ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。
【００７２】
画素電極９ａを介して電気光学物質の一例としての液晶に書き込まれた所定レベルの画像信号Ｓ１、Ｓ２、…、Ｓｎは、対向基板２０に形成された対向電極２１との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００７３】
ここで保持された画像信号がリークするのを防ぐために、画素電極９ａと対向電極２１との間に形成される液晶容量と並列に蓄積容量７０を付加する。この蓄積容量７０は、走査線１１ａに並んで設けられ、固定電位側容量電極を含むとともに定電位に固定された容量電極３００を含んでいる。
【００７４】
＜３：実装ケース入り電気光学装置＞
次に、図５から図１０を参照して、本発明の実施形態に係る「実装構造体」たる実装ケースに収納された電気光学装置、即ち実装ケース入り電気光学装置について説明する。
【００７５】
ここに、図５は、本実施形態に係る実装ケースを前述した電気光学装置とともに示す分解斜視図であり、図６は当該実装ケース入り電気光学装置を、該電気光学装置の対向基板側（即ち表側）から見た平面図であり、図７は、実装ケースを裏側から見た平面図である。また、図８は、実装ケースへの電気光学装置の固定に係る構成を説明するための説明図であり、図９は、図６のＸ１−Ｘ１´断面図である。更に、図１０（ａ）は、図６のＹ１−Ｙ１´断面図であり、図１０（ｂ）は、図６のＺ１方向から臨んだ前面図である。
【００７６】
図５及び図９、並びに図１０（ａ）に示すように、実装ケース６０１は、フック６１０とフレーム６２０とを備える。実装ケース６０１内に収容される電気光学装置５００は、図２及び図３に示した電気光学装置に加えて、その表面に重ねられた、反射防止板等の他の光学要素とを備えてなり、更にその外部回路接続端子１０２にフレキシブル基板５０１が接続されてなる。尚、偏光板や位相差板は、液晶プロジェクタ１１００の光学系に備えるようにしても良いし、電気光学装置５００の表面に重ねてもよい。
【００７７】
ここで、特に図５によく示されるように、ＴＦＴアレイ基板１０及び対向基板２０の各々の液晶層５０に対向しない側には、例えばガラス等の透明基板を用いて構成される防塵用基板４００が設けられている。この防塵用基板４００のデフォーカス作用により、ＴＦＴアレイ基板１０及び対向基板２０の各々の外側表面、即ち、防塵用基板４００と貼り合わせられる接着面に付着した埃や塵は、スクリーン上の表示画面にピンボケの状態で表示されることとなる。よって、スクリーン上の表示画面に、前述したような埃や塵が明確に映りこむのを防止することができる。
【００７８】
また、外部回路接続端子１０２には、外部から入力される入力画像データに基づいて生成される画像信号や、クロック信号、各種制御信号、電源信号等の各種信号を、データ線駆動回路１０１又は走査線駆動回路１０４に供給する駆動用ＩＣがＴＡＢ実装される。より具体的には、駆動用ＩＣはフレキシブル基板５０１に形成される。そして、フレキシブル基板５０１に形成され且つ駆動用ＩＣに接続された複数の配線と、外部回路接続端子１０２の一部又は全てとを、異方性導電フィルムを介して接続することにより、液晶パネル１００に実装される。尚、図５、図６、図８、並びに図１０（ａ）には、フレキシブル基板５０１における駆動用ＩＣや配線等の詳細な構成は、図示を省略する。
【００７９】
本実施形態では、フレーム６２０の側から光が入射し、電気光学装置５００を透過して、フック６１０の側から出射するということを前提とする。つまり、図１でいえば、ダイクロイックプリズム１１１２に対向するのは、フレーム６２０ではなくて、フック６１０ということになる。
【００８０】
以下では実装ケース６０１を構成するフック６１０及びフレーム６２０の構成についてのより詳細な説明を行う。
【００８１】
先ず、フック６１０の構成について説明する。フック６１０は、図５に示すように、平面視して略四辺形状を有する板状の部材であって、電気光学装置５００の一面に対向するように配置される。本実施形態では、フック６１０と電気光学装置５００とは相互に直接に当接し、後者が前者に載置されるが如き状態が採られる。
【００８２】
フック６１０は、窓部６１５及び折り曲げ部６１３を有する。窓部６１５は、図５に示すように、略四辺形状を有する部材６１０ａの一部が開口形状に形成されており、例えば図９中、上方から下方への光の透過を可能とする部分である。電気光学装置５００を透過してきた光の出射は、この窓部６１５によって可能となる。なお、これにより、フック６１０上に電気光学装置５００を載置した場合には、該電気光学装置５００における周辺領域が、窓部６１５の辺縁に当接されるが如き状態になる。また、電気光学装置５００と窓部６１５の辺縁とが相互に接触していることにより、前者から後者への熱の伝達が滞りなく行われるようになる。
【００８３】
折り曲げ部６１３は、図５に示すように、略四辺形状を有する部材６１０ａの対向する二辺のそれぞれの一部が、該四辺形状の内側に向かって折り曲げられている部分である。より詳細には、図５において、折り曲げ部６１３は、略四辺形状を有する部材６１０ａの二辺において、夫々その一部が該四辺形状の内側に折り曲げられてなる構成となっている。
【００８４】
フック６１０に電気光学装置５００を載置した状態で、電気光学装置５００は、折り曲げ部６１３によってその周辺領域を保持される。より具体的には、図９に示すように、折り曲げ部６１３によって、電気光学装置５００の側面側が保持されることとなる。また、電気光学装置５００は、該電気光学装置５００を平面的に見て、フレキシブル基板５０１が設けられる辺に隣接する二辺側を、折り曲げ部６１３によって保持される。
【００８５】
更に、フック６１０とフレーム６２０とを組み立てた状態で、折り曲げ部６１３の内側面はフレーム６２０の外側面に接する（図９参照）。これにより、電気光学装置５００からフック６１０伝わった熱は、この折り曲げ部６１３を介してフレーム６２０へと伝達可能となっている。
【００８６】
尚、フック６１０に載置された状態で、電気光学装置５００が折り曲げ部６１３によって二方向から保持される構成に限らず、当該電気光学装置５００が例えば三方向から保持されるようにしてもよい。
【００８７】
次にフレーム６２０の構成について説明する。図５に示すように、フレーム６２０を構成するフレーム部材６２２は略立方体形状を有する部材であって、電気光学装置５００のフック６１０が面する側とは反対側の面に対向するように配置される。
【００８８】
図７によく示されるように、フレーム部材６２２において、略立方体形状の内方は、電気光学装置５００を収容するため、いわばくり抜かれたような状態となっている。すなわち、フレーム部材６２２は、蓋なき箱型の如き形状を有する部材となっている。よって、フレーム部材６２２の窓部６２５が設けられる底面（図５、或いは図９では「上面」ということになる）と対向する上面６２８（図５、或いは図９では「下面」ということになる）は開いた状態にある。そして、該上面６２８より、フック６１０に載置された電気光学装置５００がフレーム６２０内に収容されることによって、該上面６２８はフック６１０によって閉じられた状態となる。即ち、フレーム部材６２２に対して、フック６１０はいわば「蓋」として機能し得ることとなる。
【００８９】
また、フレーム６２０は、電気光学装置５００の画像表示領域１０ａに対応する窓部６２５を有している。窓部６２５は、フレーム部材６２２の底面に開口形状に形成されており、図９中、上方から下方への光の透過を可能とする部分である。図１に示した液晶プロジェクタ１１００内のランプユニット１１０２から発せられた光は、この窓部６２５を通過して電気光学装置５００に入射可能となる。なお、窓部６２５の辺縁は、前記のフック６１０の窓部６１５の辺縁と同様、電気光学装置５００の周辺領域に当接している。これにより、電気光学装置５００からフレーム部材６２２への熱の伝達が滞りなく行われるようになる。従って、フレーム６２０に電気光学装置５００が収容された状態で、電気光学装置５００はフレーム６２０によってその周辺部側から包囲されることとなる。
【００９０】
更に、フレーム６２０は、電気光学装置５００に対するヒートシンクとして機能し得ると共に、遮光機能を有するのが好ましい。これにより、電気光学装置５００の周辺領域における光抜けを防止すると共に該周辺領域から迷光が画像表示領域１０ａ内に進入するのを防ぐことが可能となる。このような遮光機能やヒートシンクとしての機能をフレーム６２０において確保するために、フレーム部材６２２は、遮光性で且つ熱伝導性に優れた、例えば樹脂や金属等の材料を用いて構成されるのが好ましい。より具体的には、このような材料として、アルミニウム、マグネシウム、銅又はこれら夫々の合金等を用いるようにするとよい。尚、フック６１０においても、フレーム６２０と同様の遮光機能及びヒートシンクとしての機能を確保するためには、該フック６１０も遮光性の材料であって且つ熱伝導性に優れた材料を用いて構成するのが好ましい。
【００９１】
また、フレーム６２０の周辺部の一箇所に、取り付け穴６２３が設けられる。取り付け穴６２３は、当該実装ケース入り電気光学装置を、図１に示した如き液晶プロジェクタ１１００内に取り付けする際に利用される。より具体的には、図１０（ａ）に示すように、取り付け穴６２３は例えばサラネジ用の穴として設けられており、また、液晶プロジェクタ１１００において、ダイクロイックプリズム１１１２には、例えば実装ケース６０１が取り付けられるプレート（図示省略）が設置される。この場合、取り付け穴６２３にサラネジをねじ込むことにより、実装ケース入り電気光学装置をダイクロイックプリズム１１１２に設置されたプレートに対して取り付ける。これにより、フレーム６２０を液晶プロジェクタ１１００内に一点固定することが可能となる。この際、取り付け穴６２３を用いて液晶プロジェクタ１１００内における位置決めは行われる。即ち、取り付け穴６２３により実装ケース６０１の光学的な基準位置である取り付け位置が決定される。
【００９２】
ここで、図８は、図７と同様の平面図であって、電気光学装置５００がフレーム６２０内に収容された状態で、電気光学装置５００とフレーム６２０との配置関係を示す図である。図８において、電気光学装置５００の周辺部はフレーム６２０の内側壁に隙間を開けて面する状態となる。そして、図８に加え図１０（ａ）にも示すように、電気光学装置５００の周辺部において、フレーム６２０の取り付け穴６２３が設けられた個所に面する側に位置する一部が、該一部とフレーム６２３の内側壁との間に充填された、例えば感光性硬化樹脂や熱硬化樹脂を材料とする接着剤等の固定部６２１によってフレーム６２３に固定される。これにより、電気光学装置５００をフレーム６２３において取り付け穴６２３の近傍にいわば一定固定することが可能となる。このようにフレーム６２０内に電気光学装置５００が固定された状態で、図９に示すように該電気光学装置５００が載置されるフック６１０を、フレーム６２０の外側面に折り曲げ部６１３の内側面が接することによって、該フレーム６２０内に引っ掛けることができる。尚、このような状態における電気光学装置５００、固定部６２１、並びにフレーム６２０の配置関係を図６にも示してある。
【００９３】
また、図１０（ａ）及び図１０（ｂ）に示すように、フレーム６２０において、電気光学装置５００に接続されたフレキシブル基板５０１を、該フレキシブル基板５０１の延在方向に嵌め込むための空間７００が規定されている。尚、図１０（ｂ）には、フレーム６２０内に電気光学装置５００が収容された状態における、該電気光学装置５００とフレーム６２０との配置関係を示してある。より具体的には、フレーム部材６２２におけるフレキシブル基板５０１の配置側の側壁の一部を、図７に示すように切り欠いてある。そして、図１０（ｂ）に示すように、フレーム部材６２２の側壁の切り欠かれた部分によって空間７００が規定される。従って、電気光学装置５００をフレーム６２０内にフレキシブル基板５０１を折り曲げることなく収容させることが可能となる。
【００９４】
ここで、上述したような実装ケース入り電気光学装置の動作時において、電気光学装置５００に比較的強力な投射光が入射されると、該電気光学装置５００の温度が上昇する。電気光学装置５００から生じる熱は、フレーム６２０において電気光学装置５００がフレーム６２０に接触している個所から、該フレーム６２０に伝導される。また、フック６１０の電気光学装置５００との接触個所から該フック６１０に伝導された熱も、フレーム６２０に伝導される。
【００９５】
このようにフレーム６２０に伝導された熱は、該フレーム６２０から実装ケース６０１外に放出される。フレーム６２０は上述したように液晶プロジェクタ１１００に固定されることで、液晶プロジェクタ１１００における実装ケース６０１の取り付け個所に少なくとも接触している。よって、該接触個所から、実装ケース６０１から放出された熱が液晶プロジェクタ１１００における前記取り付け個所に伝導される。
【００９６】
この際特に、電気光学装置５００においてＴＦＴアレイ基板１０等が膨張する。これと相前後して又は殆ど同時に、電気光学装置５００から伝導された熱によってフレーム６２０における温度が上昇し、フレーム部材６２２は膨張する。例えば、フレーム部材６２２は、電気光学装置５００のＴＦＴアレイ基板１０等よりも大きな膨張率で膨張する。更に、フレーム部材６２２の膨張と相前後して又は殆ど同時に、フレーム６２０から伝導された熱によって液晶プロジェクタ１１００における前記取り付け個所付近はフレーム部材６２２と異なる膨張率で膨張する。
【００９７】
フレーム６２０は液晶プロジェクタ１１００に一点固定されており、上述した膨張により該固定個所を支点として、フレーム６２０と液晶プロジェクタ１１００における前記取り付け個所付近とは位置ズレする。これにより、液晶プロジェクタ１１００における前記取り付け個所とフレーム６２０との間の応力の発生を緩和できる。
【００９８】
また、電気光学装置５００は、フレーム６２０に取り付け穴６２３の近傍で一点固定されており、フレーム部材６２２は取り付け穴６２３による取り付け位置を支点として膨張する。従って、光学的な位置決めの基準となる取り付け穴６２３による取り付け位置と電気光学装置５００との相対的な位置ズレ、即ち、光学的な基準位置に対する画像表示領域１０ａの位置ズレの発生を防止することが可能となる。よって、当該加熱時や発熱時における、電気光学装置５００の位置ズレを防止することが可能となる。
【００９９】
更に、フレーム６２０及び電気光学装置５００におけるＴＦＴアレイ基板１０等が互いに異なる膨張率で夫々膨張しても、電気光学装置５００における、フレーム６２０に対する固定部分以外の他の部分は、フレーム６２０に対して相互に近付いたり相互から離間する。よって、膨張や伸縮に基づくフレーム６２０と電気光学装置５００との間の応力の発生を緩和できる。即ち、膨張や伸縮で電気光学装置５００に応力が発生して、例えば画像表示領域１０ａが歪むのを効率的に防止できる。
【０１００】
他方、電気光学装置５００が実装された状態で、電気光学装置５００におけるＴＦＴアレイ基板１０等や、フレーム６２０並びに液晶プロジェクタ１１００における前記取り付け個所が冷却されることにより、夫々温度が低下すると、一般に電気光学装置５００におけるＴＦＴアレイ基板１０等や、フレーム６２０並びに液晶プロジェクタ１１００における前記取り付け個所は夫々縮む。この場合においても、フレーム６２０は液晶プロジェクタ１１００に一点固定されると共に、電気光学装置５００は、フレーム６２０に取り付け穴６２３の近傍で一点固定されているため、温度が上昇した場合と同様の利益を享受することができる。
【０１０１】
以上の結果、電気光学装置５００の加熱時や発熱時における、更には冷却時における、実装ケース６０１又は電気光学装置５００における応力の発生や、電気光学装置５００の位置ズレの発生を防止することが可能となる。その結果、電気光学装置５００において、色むらの発生を防止して高品質な画像表示を行うことが可能となる。
【０１０２】
＜４：変形例＞
以上説明した本実施形態の変形例について、本変形例に係る一の構成について、図１１から図１３を参照して説明すると共に、本変形例に係る他の構成について、図１４、図１５、並びに図１６及び図１７を参照して説明する。
【０１０３】
本変形例に係る一の構成について、図１１は当該実装ケース入り電気光学装置を表側から見た平面図であり、図１２は実装ケースを裏側から見た場合の、フレーム及び電気光学装置の配置関係を示す平面図であって、図１３は、図１１のＹ２−Ｙ２´断面図である。また、図１４は、本変形例に係る他の構成について、当該実装ケース入り電気光学装置を表側から見た平面図であり、図１５は、本変形例に係る他の構成について、図１０（ａ）に対応する断面の構成を示す断面図である。更に、図１６は、本変形例に係る他の構成について、実装ケースを裏側から見た場合の、フレーム及び電気光学装置の配置関係を示す平面図である。加えて、図１７は、本変形例に係る他の構成について、当該実装ケース入り電気光学装置を表側から見た平面図である。
【０１０４】
先ず、図１１から図１３に示すように、フレーム６２０の周辺部には、取り付け穴６２３に加えて位置決め用の穴７１０を設けるようにしてもよい。図１１及び図１２に示すように、フレーム６２０の周辺部において、取り付け穴６２３はフレーム６２０に電気光学装置５００が収容された状態で、フレキシブル基板５０１が配置される側の一箇所に設置される。また、フレーム６２０の周辺部において、取り付け穴６２３の対向する側に配置された位置決め用の穴７１０が設けられる。尚、図１１には、フレーム６２０に収容された電気光学装置５００及び固定部６２１、並びにフレーム６２０の各部の配置関係を示してある。
【０１０５】
図１２に示すように、図１０（ａ）及び図１０（ｂ）に示す、フレーム部材６２２の側壁の切り欠かれた部分によって規定される空間７００は、取り付け穴６２３を規定するフレーム部材６２２の側壁によって更に二分割される。これにより、取り付け穴６２３を挟んでその両側に、二つの空間７００ａ及び７００ｂが配置される。他方、フレキシブル基板５０１として、その端部が二股に分かれた二股フレキシブル基板を用いる。そして、前述した二つの空間７００ａ及び７００ｂに、二股フレキシブル基板５０１の二股に分かれた端部をはめ込む。その結果、フレーム６２０の周辺部において、フレキシブル基板５０１が設けられる側のフレーム部材６２２の側壁を有効に利用して、ここに取り付け穴６２３を設けることが可能となる。
【０１０６】
ここで、上述したように、例えば液晶プロジェクタ１１００において、ダイクロイックプリズム１１１２には、実装ケース６０１を取り付けるためのプレートが設置される。このプレートには、位置決め用の穴７１０に対応して例えば位置決め用のピン７１２が設けられる。そして、位置決め用ピン７１２を位置決め用の穴７１０にはめ込んで、実装ケース６０１を液晶プロジェクタ１１００における前述したプレートに取り付ける。図１１及び図１３には、このような状態における、位置決め用の穴７１０及び位置決め用のピン７１２の配置関係を示してある。図１１及び図１３に示すように、位置決め用の穴７１０は、該位置決め用の穴７１０と位置決め用ピン７１２とが相互に比較的自由にズレることが可能なサイズとするのが好ましい。従って、既に説明したように取り付け穴６２３にネジをねじ込んで液晶プロジェクタ１１００に当該実装ケース入り電気光学装置を取り付ける場合、位置決め用の穴７１０を用いることにより、実装ケース６０１が回転して位置ズレが発生するのを防止することが可能となる。よって、液晶プロジェクタ１１００に当該実装ケース入り電気光学装置を取り付ける際の位置決めを比較的容易に行うことができる。その結果、実装ケース６０１の組み立て性を向上させることが可能となる。更には、位置決め用の穴７１０のサイズを位置決め用ピン７１２に対して変化させることで、フレーム６２０又は液晶プロジェクタ１１００における実装ケース６０１の取り付け個所付近が伸縮しても、該取り付け個所とフレーム６２０との間に応力が発生するのを防止することが可能となる。
【０１０７】
尚、図１１から図１３に示す構成において、位置決め用の穴７１０を取り付け穴６２３の代わりに該取り付け穴６２３と同様に設けるようにしてもよい。この場合は、例えばフレーム６２０の周辺部において、フレキシブル基板５０１が配置される側に位置決め用の穴７１０が設けられ、その対向する側に取り付け穴６２３が設けられる。
【０１０８】
また、図１４に示すように、フレーム６２０の周辺部において、フレキシブル基板５０１が配置される辺に隣接する二辺に対して、位置決め用の穴７１０及び取り付け穴６２３を設けるようにしてもよい。更には、位置決め用の穴７１０は、フレーム６２０の周辺部に複数箇所設けてもよい。
【０１０９】
加えて、図１５に示すように、例えば防塵用基板４００の周辺部において、取り付け穴６２３に面する側の一部分を、図１０（ａ）に示す防塵用基板４００の構成と比較して、フレーム６２０の内壁に対して該フレーム６２０の内側に向かって後退させる。そして、これにより形成されたフレーム６２０と電気光学装置５００及び防塵用基板４００との隙間を接着剤溜まりとし、該隙間に充填された接着剤を固定部６２１として用いるようにしてもよい。このようにすれば、フレーム６２０に電気光学装置５００をより強固に一点で固定することが可能となる。
【０１１０】
また、図１６に示すように、フレーム６２０に電気光学装置５００が固定された状態で、電気光学装置５００とフレーム６２０の内壁との間の隙間に、充填材６２１ａを充填するようにしてもよい。尚、充填材６２１ａは、電気光学装置５００とフレーム６２０の内壁との間の隙間に部分的に充填するようにしてもよい。ここで、充填材６２１ａとして、空気よりも熱伝導性に優れ、且つ弾力性を有する材料を用いるのが好ましい。よって、電気光学装置５００が実装ケース６０１に実装された状態で、電気光学装置５００から発生する熱を、充填材６２１ａとの接触部分から充填材６２１ａを介して、フレーム６２０に効率良く伝導させることができ、実装ケース６０１における放熱効率を向上させることが可能となる。また、固定部６２１を補助するように充填材６２１ａとして接着剤を用いる場合も、該接着剤が弾力性を有することで、伸縮に基づくフレーム６２０と電気光学装置５００との間の応力の発生を緩和できる。
【０１１１】
加えて、図１７に示すように、取り付け穴６２３をフレーム６２０に複数箇所配置するようにしてもよい。この場合、固定部６２１は、複数の取り付け穴６２３のいずれか一つに対して設けられる。このように構成すれば、フレーム６２０を、液晶プロジェクタ１１００に複数点で固定することが可能となる。また、電気光学装置５００はフレーム６２０に対して一点固定されているため、電気光学装置５００の加熱時や発熱時における、更には冷却時における、電気光学装置５００における応力の発生や、電気光学装置５００の位置ズレの発生を防止することが可能となる。
【０１１２】
本発明は、上述した実施形態に限られるものではなく、請求の範囲及び明細書全体から読み取れる発明の要旨、あるいは思想に反しない範囲で適宜変更可能であり、そのような変更を伴う実装ケース、また該実装ケースに実装或いは収容されてなる電気光学装置、及びこのような電気光学装置を備えてなる電子機器もまた、本発明の技術的範囲に含まれるものである。
【図面の簡単な説明】
【０１１３】
【図１】本発明の電子機器の実施形態である投射型カラー表示装置の一例たるカラー液晶プロジェクタを示す図式的断面図である。
【図２】電気光学装置の全体構成を示す平面図である。
【図３】図２のＨ−Ｈ’断面図である。
【図４】電気光学装置の画像表示領域を構成するマトリクス状に形成された複数の画素部における各種素子、配線等の等価回路である。
【図５】実装ケースを前述した電気光学装置とともに示す分解斜視図である。
【図６】実装ケース入り電気光学装置を、表側から見た平面図である。
【図７】実装ケースを裏側から見た平面図である。
【図８】実装ケースにおける電気光学装置の固定に係る構成を説明するための説明図である。
【図９】図６のＸ１-Ｘ１’断面図である。
【図１０】図１０（ａ）は、図６のＹ１−Ｙ１´断面図であり、図１０（ｂ）は、図６のＺ１方向から臨んだ前面図である。
【図１１】本変形例に係る一の構成について、実装ケース入り電気光学装置を表側から見た平面図である。
【図１２】本変形例に係る一の構成について、実装ケースを裏側から見た場合の、フレーム及び電気光学装置の配置関係を示す平面図である。
【図１３】図１１のＹ２−Ｙ２´断面図である。
【図１４】本変形例に係る他の構成について、実装ケース入り電気光学装置を表側から見た平面図である。
【図１５】本変形例に係る他の構成について、図１０（ａ）に対応する断面の構成を示す断面図である。
【図１６】本変形例に係る他の構成について、実装ケースを裏側から見た場合の、フレーム及び電気光学装置の配置関係を示す平面図である。
【図１７】本変形例に係る他の構成について、実装ケース入り電気光学装置を表側から見た平面図である。
【符号の説明】
【０１１４】
１０…ＴＦＴアレイ基板、１０ａ…画像表示領域、２０…対向基板、４００…防塵用基板、５００…電気光学装置、５０１…フレキシブル基板、６０１…実装ケース、６１０…フック、６１５、６２５…窓、６２０…フレーム、６２１…固定部、６２３…取り付け穴
【図１】
2005241766.tif 000003
【図２】
2005241766.tif 000004
【図３】
2005241766.tif 000005
【図４】
2005241766.tif 000006
【図５】
2005241766.tif 000007
【図６】
2005241766.tif 000008
【図７】
2005241766.tif 000009
【図８】
2005241766.tif 000010
【図９】
2005241766.tif 000011
【図１０】
2005241766.tif 000012
【図１１】
2005241766.tif 000013
【図１２】
2005241766.tif 000014
【図１３】
2005241766.tif 000015
【図１４】
2005241766.tif 000016
【図１５】
2005241766.tif 000017
【図１６】
2005241766.tif 000018
【図１７】
2005241766.tif 000019